(57)【特許請求の範囲】
【請求項１】
表示部が設けられた面を有する筐体と、
前記筐体の内部に設けられたプリンタユニットと、
前記筐体の内部においてプリント用のロール紙を保持するペーパーホルダと、
カバー用ヒンジを介して前記筐体に開閉可能に取り付けられたペーパーカバーと、
を備え、
前記ペーパーカバーが閉じているときに、前記ペーパーホルダによって前記ロール紙が保持されるロール紙収納エリアが前記筐体の内部に形成され、
前記表示部、前記プリンタユニット、前記ロール紙収納エリアが、前記表示部が設けられた面に対して垂直な方向に重なるように配置されたことを特徴とするプリンタ付き端末装置。
【請求項２】
前記ペーパーホルダは、前記ペーパーカバーに連結されており、前記ペーパーカバーが開かれるときに前記ペーパーカバーとともに開くことを特徴とする請求項１に記載のプリンタ付き端末装置。
【請求項３】
前記ペーパーホルダは、ホルダ用ヒンジを介して前記ペーパーカバーに連結されており、前記ペーパーカバーとともに開かれた状態で、前記ホルダ用ヒンジを中心にして前記ペーパーカバーから離れる方向に開くことを特徴とする請求項２に記載のプリンタ付き端末装置。
【請求項４】
前記ペーパーホルダが前記ペーパーカバーとともに開かれた状態で、前記ペーパーホルダの重心の位置は、前記ホルダ用ヒンジの位置より前記ペーパーホルダ側に設定されており、前記ペーパーホルダは、前記ペーパーカバーから離れる方向に自重で開くことを特徴とする請求項３に記載のプリンタ付き端末装置。
【請求項５】
前記ペーパーカバーが最大開き位置まで開かれた状態からさらに開かれたときに、前記カバー用ヒンジが外れて、前記ペーパーカバーと前記ペーパーホルダが前記筐体から外れることを特徴とする請求項３または請求項４に記載のプリンタ付き端末装置。
【請求項６】
前記筐体の側面には、前記ペーパーホルダに保持されたロール紙を視認するための窓部が設けられており、前記ホルダ用ヒンジは、前記窓部から視認できない位置に設けられていることを特徴とする請求項３ないし請求項５のいずれかに記載のプリンタ付き端末装置。
【発明の詳細な説明】
【技術分野】
【０００１】
本発明は、プリンタ機能を備えた端末装置であるプリンタ付き端末装置に関するものである。
【背景技術】
【０００２】
従来から、プリンタ機能を備えた端末装置（プリンタ付き端末装置）が宅配便などの業務に使用されている。例えば、宅配便の集配センターに設置されるプリンタ付き端末装置には、決済機能なども備えられており、宅配の受付処理や決済処理の結果がロール紙などに印字して出力される（例えば特許文献１参照）。このような従来の端末装置では、通常、筐体の表面（おもて面）の上半部に表示部が設けられており、その表示部の上部（筐体の上端部）にプリンタユニットが設けられている。すなわち、平面視で、表示部とプリンタユニットが、端末装置の表面上に並べて配置されている（特許文献１）。また、ロール紙が交換しやすいようにロール紙のカッターが移動するものがある（特許文献２）。
【先行技術文献】
【特許文献】
【０００３】
【特許文献１】特開２００４−１１４６４０号公報
【特許文献２】特開２０１０−６４３２３号公報
【発明の概要】
【発明が解決しようとする課題】
【０００４】
しかしながら、従来の端末装置においては、端末装置の表面に表示部とプリンタユニットが並べて配置されるため、表示部の上部（筐体の上端部）にプリンタユニットを設けるためのスペースを確保する必要があり、端末装置の縦サイズ（上下方向のサイズ）を小さくするのが困難である、また小型化を進めるほどプリンタ用紙のカッターがプリンタ用紙に近づくため、用紙の交換がし辛くなっていた。これらが要因となり、端末装置、特に縦方向の小型化が困難であるという問題があった。
【０００５】
本発明は、上記従来の問題を解決するためになされたもので、端末装置の縦方向の小型化を実現することのできるプリンタ付き端末装置を提供することを目的とする。
【課題を解決するための手段】
【０００６】
本発明のプリンタ付き端末装置は、表面に表示部と操作部が設けられる筐体と、前記筐体の内部において前記表面の表示部に対応する位置に設けられるプリンタユニットと、前記筐体の内部において前記プリンタユニットの近傍の位置に設けられ、プリント用のロール紙を保持するペーパーホルダと、前記ロール紙の取付けまたは取外しを可能とするために、カバー用ヒンジを介して前記筐体に開閉可能に取り付けられるペーパーカバーと、を備えた構成を有している。
【０００７】
この構成により、筐体の内部において表面の表示部に対応する位置（平面視で表示部と同じ位置）に、プリンタユニットとロール紙が配置される。このように、プリンタユニット（とロール紙）を表示部と対応する位置（平面視で同じ位置）に配置することにより、プリンタユニットを表示部の上部（筐体の上端部）に配置する場合に比べて、端末装置の縦サイズ（上下方向のサイズ）を小さくすることができる。また、この場合、プリンタユニットのペーパーカバーを開くことにより、カッターを気にせず、ロール紙の取付けや取外しを容易に行うことができる。
【０００８】
また、本発明のプリンタ付き端末装置では、前記ペーパーホルダは、前記ペーパーカバーに連結されており、前記ペーパーカバーが開かれるときに前記ペーパーカバーとともに開く構成を有している。
【０００９】
この構成により、ペーパーホルダがペーパーカバーに連結されているので、ペーパーカバーを開くと、ペーパーカバーとともにペーパーホルダも開かれて、ペーパーホルダに保持されたロール紙もペーパーカバーを開いた側に出てくるようになる。したがって、ロール紙の取外しを容易に行うことができる。
【００１０】
また、本発明のプリンタ付き端末装置では、前記ペーパーホルダは、ホルダ用ヒンジを介して前記ペーパーカバーに連結されており、前記ペーパーカバーとともに開かれた状態で、前記ホルダ用ヒンジを中心にして前記ペーパーカバーから離れる方向に開く構成を有している。
【００１１】
この構成により、ペーパーホルダは、ペーパーカバーとともに開かれた状態で、ペーパーカバーから離れる方向に開くことができる。ペーパーホルダをペーパーカバーから離れる方向に開くことにより、大径のロール紙でも容易に取付けや取外しを行うことができる。
【００１２】
また、本発明のプリンタ付き端末装置では、前記ペーパーホルダが前記ペーパーカバーとともに開かれた状態で、前記ペーパーホルダの重心の位置は、前記ホルダ用ヒンジの位置より前記ペーパーホルダ側に設定されており、前記ペーパーホルダは、前記ペーパーカバーから離れる方向に自重で開く構成を有している。
【００１３】
この構成により、ペーパーホルダがペーパーカバーとともに開かれたときに、ペーパーホルダの重心の位置が、ホルダ用ヒンジの位置よりペーパーホルダ側に設定されている。したがって、例えば、ペーパーホルダにロール紙が保持されていない状態で、ペーパーカバーを開くと、ペーパーカバーとともにペーパーホルダも開かれ、さらに、ペーパーホルダは、ペーパーカバーから離れる方向に自重で（自動的に）開くようになる。したがって、ペーパーホルダを手で開く必要がなく、ロール紙の取付け作業が容易になる。
【００１４】
また、本発明のプリンタ付き端末装置では、前記ペーパーカバーが最大開き位置まで開かれた状態からさらに開かれたときに、前記カバー用ヒンジが外れて、前記ペーパーカバーと前記ペーパーホルダが前記筐体から外れる構成を有している。
【００１５】
この構成により、ペーパーカバーが最大開き位置からさらに開かれた場合には、カバー用ヒンジが外れて、ペーパーカバーとペーパーホルダが筐体から外れる。したがって、カバー用ヒンジに過度な負荷がかかり、カバー用ヒンジやその周辺部分が破壊されてしまうのを防ぐことができる。
【００１６】
また、本発明のプリンタ付き端末装置では、前記筐体の側面には、前記ペーパーホルダに保持されたロール紙を視認するための窓部が設けられており、前記ホルダ用ヒンジは、前記窓部から視認できない位置に設けられている構成を有している。
【００１７】
この構成により、筐体の側面の窓部から、ペーパーホルダに保持されたロール紙を視認することができ、ロール紙の残量などを容易に確認することができる。この場合、ホルダ用ヒンジが窓部から視認できない位置に配置されているので、窓部からホルダ用ヒンジが見えてしまうことによって外観が損なわれるのを防ぐことができる。
【発明の効果】
【００１８】
本発明は、端末装置の縦方向の小型化を実現することができ、さらに、ロール紙の取付けや取外しを容易に行うことができるという効果を有するプリンタ付き端末装置を提供することができるものである。
【図面の簡単な説明】
【００１９】
【図１】本発明の実施の形態におけるプリンタ付き端末装置の斜視図
【図２】プリンタ付き端末装置の分解斜視図
【図３】プリンタ付き端末装置（ペーパーカバーを閉じた状態）の側面図
【図４】プリンタ付き端末装置（ペーパーカバーを開いた状態）の側面図
【図５】プリンタ付き端末装置（ペーパーホルダを開いた状態）の側面図
【図６】ペーパーホルダが自重で開く様子を説明する図
【図７】小径のロール紙が取付けられた状態を説明する図
【図８】大径のロール紙が取付けられた状態を説明する図
【図９】ペーパーカバーが最大開き位置からさらに開かれた状態を説明する図
【発明を実施するための形態】
【００２０】
以下、本発明の実施の形態のプリンタ付き端末装置について、図面を用いて説明する。本実施の形態では、宅配便の集配センターに設置される決済端末装置等に用いられるプリンタ付き端末装置の場合を例示する。なお、ここで、プリンタ付き端末装置が、テーブルなどの上に設置されるような据置型の装置である場合について例示するが、プリンタ付き端末装置は、宅配の作業者が所持するような携帯型の装置であってもよい。
【００２１】
本発明の実施の形態のプリンタ付き端末装置の構成を、図面を参照して説明する。図１は、プリンタ付き端末装置の斜視図であり、図２は、プリンタ付き端末装置の分解斜視図である。また、図３〜図５は、プリンタ付き端末装置の側面図である。
【００２２】
図１に示すように、本実施の形態のプリンタ付き端末装置１は、上ケース２と下ケース３で構成される筐体４を備えている。筐体４の表面（おもて面）には、上半部に表示部５が設けられており、下半部に操作部６が設けられている。表示部５は、液晶パネルなどで構成されており、操作部６は、入力キーなどで構成されている。操作部の裏面に当たる下ケース３は操作部にほぼ平行で、表示部５の裏に設けられた下ケース３の一部が下方に膨らんで形成されたロール紙収納部２２とでローマ字のＰ形状の断面を形成しているため、操作部を手で持って操作することも容易である。例えば、図２に示すように、表示部５は、例えば、筐体４の表面に取り付けられるパネル７と、筐体４の内部のプリント回路基板８に接続される液晶ユニット９で構成される。また、操作部６は、例えば、入力用のゴムキーと、プリント回路基板８に設けられた入力用の回路（図示せず）で構成される。なお、表示部５は、タッチパネルで構成されてもよく、その場合、表示部５と操作部６は、一体化されてもよい。
【００２３】
図２に示すように、筐体４の内部には、表面の表示部５に対応する位置（平面視で表示部５と同じ位置）にプリンタユニット１０が設けられている。プリンタユニット１０は、例えば、プリンタシャーシ１１とプリンタヘッド１２とカッター１３で構成される。
【００２４】
図３〜図５に示すように、筐体４には、ペーパーカバー１４が設けられている。ペーパーカバー１４は、カバー用ヒンジ１５を介して筐体４に開閉可能に取付けられている。また、ペーパーカバー１４には、プリント用のロール紙１６を保持するペーパーホルダ１７が設けられている。ペーパーホルダ１７は、ホルダ用ヒンジ１８を介してペーパーカバー１４に連結されている。ペーパーホルダ１７は、筐体４の内部においてプリンタユニット１０の近傍の位置に設けられており、ロール紙１６を表示部５に対応する位置（平面視で表示部５と同じ位置）に保持できるように構成されている。
【００２５】
なお、図１および図２に示すように、筐体４の側面には、ペーパーホルダ１７に保持されたロール紙１６を外部から視認するための窓部１９が設けられている。この場合、ホルダ用ヒンジ１８は、窓部１９を通して外部から視認できない位置である窓部１９の周りに設けられることが望ましい。
【００２６】
以上のように構成されたプリンタ付き端末装置１について、図面を参照してその動作を説明する。
【００２７】
本実施の形態のプリンタ付き端末装置１では、ペーパーカバー１４を開いて、ロール紙１６をロール紙収納部２２への取付けまたは取外しを行う。図４に示すように、ペーパーカバー１４は、カバー用ヒンジ１５を中心にして回動させることにより開くことができる。このとき、ペーパーカバー１４が開かれると、ペーパーホルダ１７もペーパーカバー１４とともに開かれる。図５に示すように、ペーパーホルダ１７は、ホルダ用ヒンジ１８を中心にしてペーパーカバー１４から離れる方向（図５における左方向）に開くことができる。このようにして、ペーパーカバー１４を開いた状態で、ロール紙１６の取付けまたは取外しが行われる。
【００２８】
ここで、ペーパーホルダ１７の重心位置について説明しておく。図６に示すように、ペーパーホルダ１７の重心位置は、ペーパーホルダ１７がペーパーカバー１４とともに開かれた状態で、ホルダ用ヒンジ１８の位置よりペーパーホルダ１７側（図６における左側）に設定されている。したがって、ロール紙１６が取付けられていない状態では、ペーパーカバー１４とともに開かれたペーパーホルダ１７は、ペーパーカバー１４から離れる方向（図６における左方向）に自重で開くようになっている。
【００２９】
図７に示すように、小径のロール紙１６が取付けられた状態でも、ペーパーカバー１４とともに開かれたペーパーホルダ１７は、ペーパーカバー１４から離れる方向（図７における左方向）に自重で開くようになる。一方、図８に示すように、大径のロール紙１６を取付けた状態では、ペーパーホルダ１７の下部にロール紙１６が乗ることにより、ペーパーホルダ１７は、ペーパーカバー１４に近づく方向（図８における右方向）に閉じるようになる。
【００３０】
なお、図９（ａ）に示すように、通常のロール紙１６の取付けや取外しは、ペーパーカバー１４を通常開き位置まで開いた状態で行われるが、大径のロール紙１６の取付けや取外しを行うときには、図９（ｂ）に示すように、ペーパーカバー１４が最大開き位置まで開かれる。最大開き位置では、カバー用ヒンジ１５の円弧状の係止片２０の先端が、被係止部２１の当接面に当接する。ペーパーカバー１４が最大開き位置まで開かれた状態からさらに開かれると、図９（ｃ）に示すように、円弧状の係止片２０の先端を支点としてカバー用ヒンジ１５が回転し、カバー用ヒンジ１５の係止片２０と被係止部２１との係止が外れる。このようにしてカバー用ヒンジ１５が外れると、ペーパーカバー１４が筐体４から外れる。このとき、ペーパーホルダ１７は、ペーパーカバー１４に連結されているので、ペーパーカバー１４と一緒に筐体４から外れる。
【００３１】
このような本発明の実施の形態のプリンタ付き端末装置１によれば、端末装置の縦方向の小型化を実現することができ、さらに、ロール紙１６の取付けや取外しを容易に行うことができる。
【００３２】
すなわち、本実施の形態では、筐体４の内部において表面の表示部５に対応する位置（平面視で表示部５と同じ位置）に、プリンタユニット１０とロール紙１６が配置される。このように、プリンタユニット１０（とロール紙１６）を表示部５と対応する位置（平面視で同じ位置）に配置することにより、プリンタユニット１０を表示部５の上部（筐体４の上端部）に配置する場合に比べて、端末装置の縦サイズ（上下方向のサイズ）を小さくすることができる。また、この場合、プリンタユニット１０のペーパーカバー１４を開くことにより、ロール紙１６の取付けや取外しを容易に行うことができる。
【００３３】
また、本実施の形態では、ペーパーホルダ１７がペーパーカバー１４に連結されているので、図４に示すように、ペーパーカバー１４を開くと、ペーパーカバー１４とともにペーパーホルダ１７も開かれて、ペーパーホルダ１７に保持されたロール紙１６もペーパーカバー１４を開いた側にロール紙収納部２２から押し出されてくるようになる。したがって、指がロール紙の両端に入りやすく、カッター１３も気にする必要が無いためロール紙１６の取外しを容易に行うことができる。
【００３４】
また、本実施の形態では、図５に示すように、ペーパーホルダ１７は、ペーパーカバー１４とともに開かれた状態で、ペーパーカバー１４から離れる方向に開くことができる。ペーパーホルダ１７をペーパーカバー１４から離れる方向に開くことにより、ペーパホルダ１７とペーパーカバー１４との開口部が大きくなるため大径のロール紙１６でも容易に取付けや取外しを行うことができる。
【００３５】
また、図６に示すように、ペーパーホルダ１７がペーパーカバー１４とともに開かれたときに、ペーパーホルダ１７の重心の位置が、ホルダ用ヒンジ１８の位置よりペーパーホルダ１７側に設定されている。したがって、例えば、ペーパーホルダ１７にロール紙１６が保持されていない状態で、ペーパーカバー１４を開くと、ペーパーカバー１４とともにペーパーホルダ１７も開かれ、さらに、ペーパーホルダ１７は、ペーパーカバー１４から離れる方向に自重で（自動的に）開くようになる。したがって、ペーパーホルダ１７を手で開く必要がなく、ロール紙１６の取付け作業が容易になる。
【００３６】
また、図９に示すように、ペーパーカバー１４が最大開き位置からさらに開かれた場合には、カバー用ヒンジ１５が外れて、ペーパーカバー１４とペーパーホルダ１７が筐体４から外れる。したがって、カバー用ヒンジ１５に過度な負荷がかかり、カバー用ヒンジ１５やその周辺部分が破壊されてしまうのを防ぐことができる。
【００３７】
また、本実施の形態では、筐体４の側面の窓部１９から、ペーパーホルダ１７に保持されたロール紙１６を視認することができ、ロール紙１６の残量などを容易に確認することができる。この場合、ホルダ用ヒンジ１８が窓部１９から視認できない位置に配置されているので、窓部１９からホルダ用ヒンジ１８が見えてしまうことによって外観が損なわれるのを防ぐことができる。
【００３８】
以上、本発明の実施の形態を例示により説明したが、本発明の範囲はこれらに限定されるものではなく、請求項に記載された範囲内において目的に応じて変更・変形することが可能である。
【産業上の利用可能性】
【００３９】
以上のように、本発明にかかるプリンタ付き端末装置は、端末装置の縦方向の小型化を実現することができ、さらに、ロール紙の取付けや取外しを容易に行うことができるという効果を有し、宅配便の集配センターに設置される決済端末装置等として有用である。
【符号の説明】
【００４０】
１  プリンタ付き端末装置
２  上ケース
３  下ケース
４  筐体
５  表示部
６  操作部
７  パネル
８  プリント回路基板
９  液晶ユニット
１０  プリンタユニット
１１  プリンタシャーシ
１２  プリンタヘッド
１３  カッター
１４  ペーパーカバー
１５  カバー用ヒンジ
１６  ロール紙
１７  ペーパーホルダ
１８  ホルダ用ヒンジ
１９  窓部
２０  係止片
２１  被係止部
２２  ロール紙収納部
【図１】
0005842159.tif 000002
【図２】
0005842159.tif 000003
【図３】
0005842159.tif 000004
【図４】
0005842159.tif 000005
【図５】
0005842159.tif 000006
【図６】
0005842159.tif 000007
【図７】
0005842159.tif 000008
【図８】
0005842159.tif 000009
【図９】
0005842159.tif 000010